(57)【特許請求の範囲】
【請求項１】
支柱を含み、
前記支柱の下端面には環状の装着板が固定的に設置され、前記装着板と地面とはボルトによって連結され、前記支柱の上端面には作成箱が固定的に設置され、前記作成箱の中には原料投入空間が設置され、前記原料投入空間の内には選別装置が設置され、前記原料投入空間の下側には流通空間を通じて攪拌空間が連通するように設置され、前記攪拌空間の下側は外界と連通され、前記攪拌空間の中には攪拌装置が設置され、前記攪拌装置は攪拌筒と攪拌軸とを含み、
前記攪拌装置の外側には密封回転装置が設置され、前記密封回転装置は前記攪拌筒を密封し、前記攪拌空間の左側には動力供給装置が設置され、前記攪拌軸と前記動力供給装置とは伝動可能に連結され、前記密封回転装置と前記動力供給装置とは動力伝達装置によって伝動可能に連結され、前記動力供給装置の上側は前記選別装置と伝動可能に連結され、
前記動力供給装置が作動するときに、前記選別装置は駆動されて作動し、コンクリート作成における各原料を選別し、そして前記密封回転装置が作動して前記攪拌装置を密封し、さらに前記密封回転装置は前記攪拌筒を駆動して回転させ、前記動力供給装置が作動するときに、前記攪拌軸は回転し、このとき、前記攪拌軸と前記攪拌筒とが反対に回転し、前記攪拌装置の中にある原料を攪拌してコンクリートに作成することを特徴とする建築用コンクリート作成装置。
【請求項２】
前記選別装置は第一伸縮空間を含み、
前記第一伸縮空間の左端は前記原料投入空間と連通され、前記原料投入空間の左端壁の中には第二伸縮空間が連通するように設置され、前記第二伸縮空間の中にはふるいがスライド可能に設置され、前記ふるいの右端は前記第一伸縮空間の中に延在し、前記ふるいの上端には引掛溝が形成され、
前記第二伸縮空間の上側にはレバー溝が外界と連通するように形成され、前記レバー溝の中にはレバーがスライド可能に設置され、前記レバーの下端は前記引掛溝の中に延在し、前記レバーの右端と前記レバー溝との間には伸縮ばねが固定的に設置され、前記第二伸縮空間の中にはカム軸が回転可能に設置され、前記カム軸にはカムが固定的に設置され、前記カムは回転することで前記ふるいを押して水平方向で往復に運動させ、コンクリート原料の選別作業を行うことができ、
前記第二伸縮空間の下側には噛合空間が連通するように設置され、前記カム軸の下端は前記噛合空間の中に延在し、かつ前記カム軸の下端には第一傘歯車が固定的に設置され、前記第一傘歯車の左端には第二傘歯車が噛み合うように連結され、前記第二傘歯車の左端面には歯車回転軸が固定的に設置され、前記歯車回転軸と前記動力供給装置とは伝動可能に連結されていることを特徴とする請求項１に記載の建築用コンクリート作成装置。
【請求項３】
前記ふるいは取り外し可能であり、メッシュ孔のサイズが異なる複数の前記ふるいで取り替えられることを特徴とする請求項２に記載の建築用コンクリート作成装置。
【請求項４】
前記攪拌装置は前記攪拌筒の中に設置された収容空間を含み、
前記収容空間の上側と前記攪拌空間との間には原料投入口が連通するように設置され、前記収容空間の内端壁には螺旋板が固定的に設置され、前記螺旋板の直径は左から右へと小さくなり、前記攪拌軸は水平方向に沿って前記収容空間を貫通し、前記収容空間の中にある前記攪拌軸には螺旋状の攪拌板が固定的に設置され、
前記攪拌筒の外端面には挿入連結溝が前後対称に形成され、前記挿入連結溝と前記密封回転装置とは連結され、前記密封回転装置は前記攪拌筒を駆動して回転させられることを特徴とする請求項１に記載の建築用コンクリート作成装置。
【請求項５】
前記密封回転装置は回転溝を含み、
前記回転溝と前記攪拌空間とは連通され、前記回転溝の中には回転板が回転可能に設置され、前記攪拌軸の右端は前記回転板を貫通して前記回転溝の右端壁と回転可能に連結され、前記攪拌空間の左端壁の中には回転空間が連通するように設置され、前記回転空間の中には回転盤が回転可能に設置され、前記回転盤の左端面には環状溝が形成され、
前記回転盤の中には前後対称の移動空間が設置され、前記移動空間と前記環状溝とは連通され、前記移動空間の間には双方向親ねじが回転可能に設置され、前記双方向親ねじの前端と前側の前記移動空間の前端壁とは回転可能に連結され、後側の前記移動空間の後端壁には移動モータが固定的に設置され、前記双方向親ねじの後端は前記移動モータに伝動可能に連結され、前記移動空間の中にある前記双方向親ねじには移動ブロックがネジ山で連結され、前記移動ブロックの右端面の中には連結軸が回転可能に設置され、
前側の前記移動ブロックの中に開口溝が設置され、前記連結軸の左端は前記開口溝の中に延在し、かつ前記連結軸の左端には伝動歯車が固定的に設置され、前記伝動歯車と前記動力伝達装置とは噛み合えるように連結され、前記回転盤と前記回転板との間には前後対称の半密閉筒が設置され、前記半密閉筒の左端面と前記連結軸とは固定的に連結され、
前記半密閉筒の中には密封空間が設置され、前記密封空間の中において対称中心から離れた端壁には挿入連結ブロックが固定的に設置され、前記挿入連結ブロックは前記挿入連結溝と挿入によって連結でき、前記半密閉筒の中心には左右対称の半円溝が形成され、前後の前記半密閉筒にある前記半円溝が当接になるときに、完全なる左右対称の円孔を形成することができ、前記攪拌軸の装着に便利であることを特徴とする請求項１に記載の建築用コンクリート作成装置。
【請求項６】
前記動力供給装置は動力空間を含み、
前記動力空間の左端壁には動力モータが固定的に設置され、前記動力モータの右端には動力回転軸が伝動可能に装着され、前記動力回転軸の右端にはスプライン軸がスプラインで連結され、前記スプライン軸の外周には転換ブロックが回転可能に設置され、前記転換ブロックは前記動力空間の中でスライドでき、前記転換ブロックの右側にはプーリが回転可能に設置され、前記スプライン軸は前記プーリを貫通し、かつ前記スプライン軸にはスプラインブロックが固定的に設置され、前記スプラインブロックと前記プーリの中心とはスプラインで連結され、前記プーリと前記歯車回転軸とはベルトによって伝動可能に連結され、
前記動力空間の後側には押出溝が連通するように形成され、前記押出溝と後側の前記移動空間とは連通され、前記押出溝の中には押出ブロックがスライド可能に設置され、前記押出ブロックの前端面と前記転換ブロックとは噛合歯車によって連結され、前記押出ブロックの右端は前記移動空間の中に延在し、かつ前記移動ブロックと当接でき、前記押出ブロックの左端には押出ばねが固定的に設置され、前記動力空間の右側には同期ベルト空間が連通するように設置され、前記攪拌軸の左端と前記同期ベルト空間の左端壁とは回転可能に連結され、前記攪拌軸の左端は前記スプライン軸とスプラインで連結されることができ、前記同期ベルト空間の中において前記攪拌軸の下側には伝動軸が回転可能に設置され、前記同期ベルト空間の中にある前記攪拌軸と前記伝動軸とは同期歯付ベルトによって伝動可能に連結され、前記伝動軸と前記動力伝達装置とは伝動可能に連結されていることを特徴とする請求項１に記載の建築用コンクリート作成装置。
【請求項７】
前記動力伝達装置は内歯車空間を含み、
前記内歯車空間と前記回転空間とは連通され、前記内歯車空間の中には内歯車が回転可能に設置され、前記内歯車の右端面は前記環状溝の中に延在し、前記内歯車の外端面は前記伝動歯車と噛み合えるように連結され、
前記内歯車空間の内端壁には伝動空間が連通するように設置され、前記伝動空間の中には連結歯車が回転可能に設置され、前記連結歯車と前記内歯車の内端面とは噛み合い、前記伝動軸の右端と前記連結歯車とは固定的に連結されていることを特徴とする請求項１に記載の建築用コンクリート作成装置。
【発明の詳細な説明】
【技術分野】
【０００１】
本願発明はコンクリート作成技術分野を取り上げ、特に建築用コンクリート作成装置に関わる。
【背景技術】
【０００２】
既存するコンクリート作成に用いられる攪拌装置は、コンクリート原料の添加とコンクリートの排出とに便利を与えるため、その左右端がオープン型である。しかし、オープン型の構造により、コンクリートを攪拌するときに、砕石などの原料は飛び散り、人に危害を及ぼし、そして攪拌効率にも響く。また、既存する装置は安全性が低く、単一の給電電源で作動をコントロールし、そのため、作業員が原料を添加するとき、または洗浄を行うときに、他者の誤操作によって事故を引き起こしやすい。本願発明は上記の問題を解決できる。
【先行技術文献】
【特許文献】
【０００３】
【特許文献１】中国特許出願公開第１０９８３４８２７号明細書
【発明の概要】
【発明が解決しようとする課題】
【０００４】
既存するコンクリート作成に用いられる攪拌装置は左右端がオープン型であるため、コンクリートを攪拌するときに、砕石などの原料は飛び散り、人に危害を及ぼし、安全性が低く、そして攪拌効率にも響く。
【課題を解決するための手段】
【０００５】
上記の問題を解決するため、本願は以下の技術的解決策を提供する。
【０００６】
本願に係る建築用コンクリート作成装置は、支柱を含み、前記支柱の下端面には環状の装着板が固定的に設置され、前記装着板と地面とはボルトによって連結され、前記支柱の上端面には作成箱が固定的に設置され、前記作成箱の中には原料投入空間が設置され、前記原料投入空間の内には選別装置が設置され、前記原料投入空間の下側には流通空間を通じて攪拌空間が連通するように設置され、前記攪拌空間の下側は外界と連通され、前記攪拌空間の中には攪拌装置が設置され、前記攪拌装置は攪拌筒と攪拌軸とを含み、前記攪拌装置の外側には密封回転装置が設置され、前記密封回転装置は前記攪拌筒を密封し、前記攪拌空間の左側には動力供給装置が設置され、前記攪拌軸と前記動力供給装置とは伝動可能に連結され、前記密封回転装置と前記動力供給装置とは動力伝達装置によって伝動可能に連結され、前記動力供給装置の上側は前記選別装置と伝動可能に連結され、
以上により、前記動力供給装置が作動するときに、前記選別装置は駆動されて作動し、コンクリート作成における各原料を選別し、そして前記密封回転装置が作動して前記攪拌装置を密封し、さらに前記密封回転装置は前記攪拌筒を駆動して回転させ、前記動力供給装置が作動するときに、前記攪拌軸は回転し、このとき、前記攪拌軸と前記攪拌筒とが反対に回転し、前記攪拌装置の中にある原料を攪拌してコンクリートに作成する。
【０００７】
中で、前記選別装置は第一伸縮空間を含み、前記第一伸縮空間の左端は前記原料投入空間と連通され、前記原料投入空間の左端壁の中には第二伸縮空間が連通するように設置され、前記第二伸縮空間の中にはふるいがスライド可能に設置され、前記ふるいの右端は前記第一伸縮空間の中に延在し、前記ふるいの上端には引掛溝が形成され、前記第二伸縮空間の上側にはレバー溝が外界と連通するように形成され、前記レバー溝の中にはレバーがスライド可能に設置され、前記レバーの下端は前記引掛溝の中に延在し、前記レバーの右端と前記レバー溝との間には伸縮ばねが固定的に設置され、前記第二伸縮空間の中にはカム軸が回転可能に設置され、前記カム軸にはカムが固定的に設置され、前記カムは回転することで前記ふるいを押して水平方向で往復に運動させ、コンクリート原料の選別作業を行うことができ、前記第二伸縮空間の下側には噛合空間が連通するように設置され、前記カム軸の下端は前記噛合空間の中に延在し、かつ前記カム軸の下端には第一傘歯車が固定的に設置され、前記第一傘歯車の左端には第二傘歯車が噛み合うように連結され、前記第二傘歯車の左端面には歯車回転軸が固定的に設置され、前記歯車回転軸と前記動力供給装置とは伝動可能に連結されている。
【０００８】
好ましくは、前記ふるいは取り外し可能であり、メッシュ孔のサイズが異なる複数の前記ふるいで取り替えられ、コンクリート作成中の砕石とセメントなどの原料を所要のサイズに選別し、コンクリートの均一性を向上させられる。
【０００９】
中で、前記攪拌装置は前記攪拌筒の中に設置された収容空間を含み、前記収容空間の上側と前記攪拌空間との間には原料投入口が連通するように設置され、前記収容空間の内端壁には螺旋板が固定的に設置され、前記螺旋板の直径は左から右へと小さくなり、前記攪拌軸は水平方向に沿って前記収容空間を貫通し、前記収容空間の中にある前記攪拌軸には螺旋状の攪拌板が固定的に設置され、前記攪拌筒の外端面には挿入連結溝が前後対称に形成され、前記挿入連結溝と前記密封回転装置とは連結され、前記密封回転装置は前記攪拌筒を駆動して回転させられる。
【００１０】
中で、前記密封回転装置は回転溝を含み、前記回転溝と前記攪拌空間とは連通され、前記回転溝の中には回転板が回転可能に設置され、前記攪拌軸の右端は前記回転板を貫通して前記回転溝の右端壁と回転可能に連結され、前記攪拌空間の左端壁の中には回転空間が連通するように設置され、前記回転空間の中には回転盤が回転可能に設置され、前記回転盤の左端面には環状溝が形成され、前記回転盤の中には前後対称の移動空間が設置され、前記移動空間と前記環状溝とは連通され、前記移動空間の間には双方向親ねじが回転可能に設置され、前記双方向親ねじの前端と前側の前記移動空間の前端壁とは回転可能に連結され、後側の前記移動空間の後端壁には移動モータが固定的に設置され、前記双方向親ねじの後端は前記移動モータに伝動可能に連結され、前記移動空間の中にある前記双方向親ねじには移動ブロックがネジ山で連結され、前記移動ブロックの右端面の中には連結軸が回転可能に設置され、前側の前記移動ブロックの中に開口溝が設置され、前記連結軸の左端は前記開口溝の中に延在し、かつ前記連結軸の左端には伝動歯車が固定的に設置され、前記伝動歯車と前記動力伝達装置とは噛み合えるように連結され、前記回転盤と前記回転板との間には前後対称の半密閉筒が設置され、前記半密閉筒の左端面と前記連結軸とは固定的に連結され、前記半密閉筒の中には密封空間が設置され、前記密封空間の中において対称中心から離れた端壁には挿入連結ブロックが固定的に設置され、前記挿入連結ブロックは前記挿入連結溝と挿入によって連結でき、前記半密閉筒の中心には左右対称の半円溝が形成され、前後の前記半密閉筒にある前記半円溝が当接になるときに、完全なる左右対称の円孔を形成することができ、前記攪拌軸の装着に便利であり、
前記収容空間の中にコンクリートの原料を添加したあとに、前記移動モータが作動し、前後の前記半密閉筒を互いに接近させて当接させ、前記収容空間を密封状態にさせ、このとき、前記挿入連結ブロックは前記挿入連結溝と挿入によって連結され、そして前記密封回転装置が作動すれば前記攪拌筒を駆動して回転させられる。
【００１１】
中で、前記動力供給装置は動力空間を含み、前記動力空間の左端壁には動力モータが固定的に設置され、前記動力モータの右端には動力回転軸が伝動可能に装着され、前記動力回転軸の右端にはスプライン軸がスプラインで連結され、前記スプライン軸の外周には転換ブロックが回転可能に設置され、前記転換ブロックは前記動力空間の中でスライドでき、前記転換ブロックの右側にはプーリが回転可能に設置され、前記スプライン軸は前記プーリを貫通し、かつ前記スプライン軸にはスプラインブロックが固定的に設置され、前記スプラインブロックと前記プーリの中心とはスプラインで連結され、前記プーリと前記歯車回転軸とはベルトによって伝動可能に連結され、前記動力空間の後側には押出溝が連通するように形成され、前記押出溝と後側の前記移動空間とは連通され、前記押出溝の中には押出ブロックがスライド可能に設置され、前記押出ブロックの前端面と前記転換ブロックとは噛合歯車によって連結され、前記押出ブロックの右端は前記移動空間の中に延在し、かつ前記移動ブロックと当接でき、前記押出ブロックの左端には押出ばねが固定的に設置され、前記動力空間の右側には同期ベルト空間が連通するように設置され、前記攪拌軸の左端と前記同期ベルト空間の左端壁とは回転可能に連結され、前記攪拌軸の左端は前記スプライン軸とスプラインで連結されることができ、前記同期ベルト空間の中において前記攪拌軸の下側には伝動軸が回転可能に設置され、前記同期ベルト空間の中にある前記攪拌軸と前記伝動軸とは同期歯付ベルトによって伝動可能に連結され、前記伝動軸と前記動力伝達装置とは伝動可能に連結され、
前記移動ブロックが移動する前に、前記動力モータは前記選別装置を駆動して作動させ、前記移動ブロックが相対運動して前後の前記半密閉筒を当接させるときに、前記動力供給装置は作動して前記スプライン軸と前記攪拌軸とをスプラインで連結し、そして前記動力モータが作動すれば前記攪拌装置と前記動力伝達装置との作動を駆動でき、前記収容空間の密封状態を保障し、前記収容空間が密封された状態で、本願装置が作動時の攪拌作業をより安全にさせられる。
【００１２】
中で、前記動力伝達装置は内歯車空間を含み、前記内歯車空間と前記回転空間とは連通され、前記内歯車空間の中には内歯車が回転可能に設置され、前記内歯車の右端面は前記環状溝の中に延在し、前記内歯車の外端面は前記伝動歯車と噛み合えるように連結され、前記内歯車空間の内端壁には伝動空間が連通するように設置され、前記伝動空間の中には連結歯車が回転可能に設置され、前記連結歯車と前記内歯車の内端面とは噛み合い、前記伝動軸の右端と前記連結歯車とは固定的に連結され、
前記移動ブロックが相対運動した後、前記伝動歯車と前記内歯車とは噛み合い、そして前記動力供給装置が作動し、前記連結歯車を駆動して回転させ、さらに前記伝動歯車を回転させ、そして前記半密閉筒を駆動して前記攪拌軸をめぐって回転させる。
【発明の効果】
【００１３】
本願発明は以下のプラス効果を有する：本願発明は選別装置でコンクリートの原料を選別し、そして密封回転装置で攪拌筒を密封でき、このときに攪拌装置は動力供給装置と連結でき、装置の使用時と洗浄時の安全性を向上させられ、また、攪拌筒と攪拌板はともに回転するが回転方向は反対であり、攪拌速度と均一性を向上させられる。
【図面の簡単な説明】
【００１４】
下記に図１〜６を合わせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本願発明である建築用コンクリート作成装置の全体構成略図
【図２】図２は図１における「Ａ―Ａ」方向からの構成略図
【図３】図３は図１における「Ｂ―Ｂ」方向からの構成略図
【図４】図４は図３における「Ｃ―Ｃ」方向からの構成略図
【図５】図５は図１における「Ｄ」の拡大構成略図
【図６】図６は図３における「Ｅ」の拡大構成略図
【発明を実施するための形態】
【００１６】
本願発明は建築用コンクリート作成装置を取り上げ、主にコンクリートの攪拌作成作業に応用され、以下に図面を合わせて本願発明について詳しく説明する。
【００１７】
本願に係る建築用コンクリート作成装置は、支柱１０を含み、前記支柱１０の下端面には環状の装着板１１が固定的に設置され、前記装着板１１と地面とはボルトによって連結され、前記支柱１０の上端面には作成箱１２が固定的に設置され、前記作成箱１２の中には原料投入空間１３が設置され、前記原料投入空間１３の内には選別装置６０１が設置され、前記原料投入空間１３の下側には流通空間２０を通じて攪拌空間２１が連通するように設置され、前記攪拌空間２１の下側は外界と連通され、前記攪拌空間２１の中には攪拌装置６０２が設置され、前記攪拌装置６０２は攪拌筒２６と攪拌軸３０とを含み、前記攪拌装置６０２の外側には密封回転装置６０３が設置され、前記密封回転装置６０３は前記攪拌筒２６を密封し、前記攪拌空間２１の左側には動力供給装置６０４が設置され、前記攪拌軸３０と前記動力供給装置６０４とは伝動可能に連結され、前記密封回転装置６０３と前記動力供給装置６０４とは動力伝達装置６０５によって伝動可能に連結され、前記動力供給装置６０４の上側は前記選別装置６０１と伝動可能に連結され、
以上により、前記動力供給装置６０４が作動するときに、前記選別装置６０１は駆動されて作動し、コンクリート作成における各原料を選別し、そして前記密封回転装置６０３が作動して前記攪拌装置６０２を密封し、さらに前記密封回転装置６０３は前記攪拌筒２６を駆動して回転させ、前記動力供給装置６０４が作動するときに、前記攪拌軸３０は回転し、このとき、前記攪拌軸３０と前記攪拌筒２６とが反対に回転し、前記攪拌装置６０２の中にある原料を攪拌してコンクリートに作成する。
【００１８】
実施例を基づき、以下に選別装置６０１について詳しく説明し、
前記選別装置６０１は第一伸縮空間１５を含み、前記第一伸縮空間１５の左端は前記原料投入空間１３と連通され、前記原料投入空間１３の左端壁の中には第二伸縮空間１７が連通するように設置され、前記第二伸縮空間１７の中にはふるい１４がスライド可能に設置され、前記ふるい１４の右端は前記第一伸縮空間１５の中に延在し、前記ふるい１４の上端には引掛溝７０が形成され、前記第二伸縮空間１７の上側にはレバー溝７２が外界と連通するように形成され、前記レバー溝７２の中にはレバー７１がスライド可能に設置され、前記レバー７１の下端は前記引掛溝７０の中に延在し、前記レバー７１の右端と前記レバー溝７２との間には伸縮ばね１６が固定的に設置され、前記第二伸縮空間１７の中にはカム軸１８が回転可能に設置され、前記カム軸１８にはカム１９が固定的に設置され、前記カム１９は回転することで前記ふるい１４を押して水平方向で往復に運動させ、コンクリート原料の選別作業を行うことができ、前記第二伸縮空間１７の下側には噛合空間６２が連通するように設置され、前記カム軸１８の下端は前記噛合空間６２の中に延在し、かつ前記カム軸１８の下端には第一傘歯車６５が固定的に設置され、前記第一傘歯車６５の左端には第二傘歯車６４が噛み合うように連結され、前記第二傘歯車６４の左端面には歯車回転軸６３が固定的に設置され、前記歯車回転軸６３と前記動力供給装置６０４とは伝動可能に連結されている。
【００１９】
好ましくは、前記ふるい１４は取り外し可能であり、メッシュ孔のサイズが異なる複数の前記ふるい１４で取り替えられ、コンクリート作成中の砕石とセメントなどの原料を所要のサイズに選別し、コンクリートの均一性を向上させられる。  
【００２０】
実施例を基づき、以下に攪拌装置６０２について詳しく説明し、
前記攪拌装置６０２は前記攪拌筒２６の中に設置された収容空間２７を含み、前記収容空間２７の上側と前記攪拌空間２１との間には原料投入口２９が連通するように設置され、前記収容空間２７の内端壁には螺旋板２８が固定的に設置され、前記螺旋板２８の直径は左から右へと小さくなり、前記攪拌軸３０は水平方向に沿って前記収容空間２７を貫通し、前記収容空間２７の中にある前記攪拌軸３０には螺旋状の攪拌板３１が固定的に設置され、前記攪拌筒２６の外端面には挿入連結溝６１が前後対称に形成され、前記挿入連結溝６１と前記密封回転装置６０３とは連結され、前記密封回転装置６０３は前記攪拌筒２６を駆動して回転させられる。
【００２１】
実施例を基づき、以下に密封回転装置６０３について詳しく説明し、
前記密封回転装置６０３は回転溝３２を含み、前記回転溝３２と前記攪拌空間２１とは連通され、前記回転溝３２の中には回転板３３が回転可能に設置され、前記攪拌軸３０の右端は前記回転板３３を貫通して前記回転溝３２の右端壁と回転可能に連結され、前記攪拌空間２１の左端壁の中には回転空間３４が連通するように設置され、前記回転空間３４の中には回転盤３５が回転可能に設置され、前記回転盤３５の左端面には環状溝４３が形成され、前記回転盤３５の中には前後対称の移動空間３６が設置され、前記移動空間３６と前記環状溝４３とは連通され、前記移動空間３６の間には双方向親ねじ３７が回転可能に設置され、前記双方向親ねじ３７の前端と前側の前記移動空間３６の前端壁とは回転可能に連結され、後側の前記移動空間３６の後端壁には移動モータ４０が固定的に設置され、前記双方向親ねじ３７の後端は前記移動モータ４０に伝動可能に連結され、前記移動空間３６の中にある前記双方向親ねじ３７には移動ブロック３８がネジ山で連結され、前記移動ブロック３８の右端面の中には連結軸３９が回転可能に設置され、前側の前記移動ブロック３８の中に開口溝４１が設置され、前記連結軸３９の左端は前記開口溝４１の中に延在し、かつ前記連結軸３９の左端には伝動歯車４２が固定的に設置され、前記伝動歯車４２と前記動力伝達装置６０５とは噛み合えるように連結され、前記回転盤３５と前記回転板３３との間には前後対称の半密閉筒２２が設置され、前記半密閉筒２２の左端面と前記連結軸３９とは固定的に連結され、前記半密閉筒２２の中には密封空間２３が設置され、前記密封空間２３の中において対称中心から離れた端壁には挿入連結ブロック２５が固定的に設置され、前記挿入連結ブロック２５は前記挿入連結溝６１と挿入によって連結でき、前記半密閉筒２２の中心には左右対称の半円溝２４が形成され、前後の前記半密閉筒２２にある前記半円溝２４が当接になるときに、完全なる左右対称の円孔を形成することができ、前記攪拌軸３０の装着に便利であり、
前記収容空間２７の中にコンクリートの原料を添加したあとに、前記移動モータ４０が作動し、前後の前記半密閉筒２２を互いに接近させて当接させ、前記収容空間２７を密封状態にさせ、このとき、前記挿入連結ブロック２５は前記挿入連結溝６１と挿入によって連結され、そして前記密封回転装置６０３が作動すれば前記攪拌筒２６を駆動して回転させられる。
【００２２】
実施例を基づき、以下に動力供給装置６０４について詳しく説明し、
前記動力供給装置６０４は動力空間５１を含み、前記動力空間５１の左端壁には動力モータ５５が固定的に設置され、前記動力モータ５５の右端には動力回転軸５４が伝動可能に装着され、前記動力回転軸５４の右端にはスプライン軸５３がスプラインで連結され、前記スプライン軸５３の外周には転換ブロック５２が回転可能に設置され、前記転換ブロック５２は前記動力空間５１の中でスライドでき、前記転換ブロック５２の右側にはプーリ９０が回転可能に設置され、前記スプライン軸５３は前記プーリ９０を貫通し、かつ前記スプライン軸５３にはスプラインブロック９１が固定的に設置され、前記スプラインブロック９１と前記プーリ９０の中心とはスプラインで連結され、前記プーリ９０と前記歯車回転軸６３とはベルト９２によって伝動可能に連結され、前記動力空間５１の後側には押出溝５８が連通するように形成され、前記押出溝５８と後側の前記移動空間３６とは連通され、前記押出溝５８の中には押出ブロック５９がスライド可能に設置され、前記押出ブロック５９の前端面と前記転換ブロック５２とは噛合歯車５７によって連結され、前記押出ブロック５９の右端は前記移動空間３６の中に延在し、かつ前記移動ブロック３８と当接でき、前記押出ブロック５９の左端には押出ばね６０が固定的に設置され、前記動力空間５１の右側には同期ベルト空間４９が連通するように設置され、前記攪拌軸３０の左端と前記同期ベルト空間４９の左端壁とは回転可能に連結され、前記攪拌軸３０の左端は前記スプライン軸５３とスプラインで連結されることができ、前記同期ベルト空間４９の中において前記攪拌軸３０の下側には伝動軸４８が回転可能に設置され、前記同期ベルト空間４９の中にある前記攪拌軸３０と前記伝動軸４８とは同期歯付ベルト５０によって伝動可能に連結され、前記伝動軸４８と前記動力伝達装置６０５とは伝動可能に連結され、
前記移動ブロック３８が移動する前に、前記動力モータ５５は前記選別装置６０１を駆動して作動させ、前記移動ブロック３８が相対運動して前後の前記半密閉筒２２を当接させるときに、前記動力供給装置６０４は作動して前記スプライン軸５３と前記攪拌軸３０とをスプラインで連結し、そして前記動力モータ５５が作動すれば前記攪拌装置６０２と前記動力伝達装置６０５との作動を駆動でき、前記収容空間２７の密封状態を保障し、前記収容空間２７が密封された状態で、本願装置が作動時の攪拌作業をより安全にさせられる。
【００２３】
実施例を基づき、以下に動力伝達装置６０５について詳しく説明し、
前記動力伝達装置６０５は内歯車空間４４を含み、前記内歯車空間４４と前記回転空間３４とは連通され、前記内歯車空間４４の中には内歯車４５が回転可能に設置され、前記内歯車４５の右端面は前記環状溝４３の中に延在し、前記内歯車４５の外端面は前記伝動歯車４２と噛み合えるように連結され、前記内歯車空間４４の内端壁には伝動空間４６が連通するように設置され、前記伝動空間４６の中には連結歯車４７が回転可能に設置され、前記連結歯車４７と前記内歯車４５の内端面とは噛み合い、前記伝動軸４８の右端と前記連結歯車４７とは固定的に連結され、
前記移動ブロック３８が相対運動した後、前記伝動歯車４２と前記内歯車４５とは噛み合い、そして前記動力供給装置６０４が作動し、前記連結歯車４７を駆動して回転させ、さらに前記伝動歯車４２を回転させ、そして前記半密閉筒２２を駆動して前記攪拌軸３０をめぐって回転させる。
【００２４】
以下に図１〜６に合わせ、本願に係る建築用コンクリート作成装置の使用手順について詳しく説明する。
【００２５】
はじめに、半密閉筒２２は互いに離れ、スプライン軸５３と攪拌軸３０とは未連結状態にあり、伝動歯車４２と内歯車４５とは非噛合状態にある。
【００２６】
使用時に、原料投入空間１３の中にコンクリート作成に必要の原料を添加し、動力モータ５５が作動し、ベルト９２を通じてカム１９を回転させ、カム１９は回転してふるい１４を押して移動させ、伸縮ばね１６の作用のもとで、ふるい１４は高頻度に往復移動し、ふるい１４にある原料を選別し、選別された原料は収容空間２７の中に入り、その後、移動モータ４０は作動して双方向親ねじ３７を駆動して回転させ、そして移動ブロック３８は相対運動し、前後の半密閉筒２２を当接させて収容空間２７を閉鎖し、このとき、挿入連結ブロック２５と噛合空間６２とは挿入によって連結され、伝動歯車４２と内歯車４５とは噛み合い、移動ブロック３８が移動するとき、押出ブロック５９を押して左方へ移動させ、そして噛合歯車５７は回転して転換ブロック５２を右方へ移動させ、さらにスプラインブロック９１はプーリ９０と離脱し、かつスプライン軸５３は攪拌軸３０と連結され、そして動力モータ５５が作動して攪拌軸３０を駆動して回転させ、攪拌板３１を回転させて収容空間２７の中にある原料を攪拌させ、攪拌軸３０が回転するとき、同期歯付ベルト５０を通じて連結歯車４７を回転させ、そして内歯車４５は回転し、伝動歯車４２を駆動して回転させ、そして半密閉筒２２は攪拌筒２６を駆動して回転させ、かつ攪拌筒２６と攪拌板３１との回転方向が反対であり、攪拌し終えた後、移動モータ４０が逆回転して作動し、移動ブロック３８を背向いて移動させ、半密閉筒２２を駆動して互いに離れさせ、そして攪拌筒２６を開け、収容空間２７の中にあるコンクリートは原料投入口２９から排出される。
【００２７】
本願発明は以下のプラス効果を有する：本願発明は選別装置でコンクリートの原料を選別し、そして密封回転装置で攪拌筒を密封でき、このときに攪拌装置は動力供給装置と連結でき、装置の使用時と洗浄時の安全性を向上させられ、また、攪拌筒と攪拌板はともに回転するが回転方向は反対であり、攪拌速度と均一性を向上させられる。
【００２８】
以上の方式により、当該分野の作業員は本願発明の範囲内に作業状況に応じて様々な改変を加えることができる。
【要約】
【課題】本願は建築用コンクリート作成装置を開示した。
【解決手段】
本願は建築用コンクリート作成装置を開示し、建築用コンクリート作成装置は、支柱を含み、前記支柱の下端面には環状の装着板が固定的に設置され、前記装着板と地面とはボルトによって連結され、前記支柱の上端面には作成箱が固定的に設置され、前記作成箱の中には原料投入空間が設置され、前記原料投入空間の内には選別装置が設置され、本願発明は選別装置でコンクリートの原料を選別し、そして密封回転装置で攪拌筒を密封でき、このときに攪拌装置は動力供給装置と連結でき、装置の使用時と洗浄時の安全性を向上させられ、また、攪拌筒と攪拌板はともに回転するが回転方向は反対であり、攪拌速度と均一性を向上させられる。
【選択図】図１【図１】
0006764063.tif 000002
【図２】
0006764063.tif 000003
【図３】
0006764063.tif 000004
【図４】
0006764063.tif 000005
【図５】
0006764063.tif 000006
【図６】
0006764063.tif 000007